(57)【要約】【課題】建物に作り付けの収納空間や、家具の収納空間を開閉する折れ戸の開閉操作用として活用出来る折れ戸用把手を提供する。【解決手段】少なくとも片側の折れ戸単体４Ａには、その内側辺の傾斜面９ｄから当該折れ戸単体４Ａの表面９ｃにわたって連続する開口を備えた把手埋設用の切欠き凹部が設けられ、把手１１は、この切欠き凹部内に嵌合固定され、当該把手１１には、指先差込み用凹入空間１８が設けられ、この指先差込み用凹入空間１８は、前記折れ戸単体４Ａの傾斜面９ｄから当該折れ戸単体４Ａの表面９ｃにまたがる開口から当該折れ戸単体４Ａの内部に向かって入り込む構成。【選択図】図３
2017190558.tif 000002
【特許請求の範囲】
【請求項１】
ヒンジにより折り畳み展開自在に連結された２枚の折れ戸単体を備え、当該２枚の折れ戸単体が１つの垂直平面に沿う展開状態にあるときに、当該２枚の折れ戸単体の互いに隣接する内側辺間に、外側に開いた横断面Ｖ字形の凹溝部が形成されるように、当該２枚の折れ戸単体の前記内側辺に傾斜面が形成されている折れ戸において、少なくとも片側の折れ戸単体には、前記内側辺の傾斜面から当該折れ戸単体の表面にわたって連続する開口を備えた把手埋設用の切欠き凹部が設けられ、把手は、この切欠き凹部内に嵌合固定され、当該把手には、指先差込み用凹入空間が設けられ、この指先差込み用凹入空間は、前記折れ戸単体の傾斜面から当該折れ戸単体の表面にまたがる開口から当該折れ戸単体の内部に向かって入り込むように構成されている、折れ戸用把手。
【請求項２】
前記指先差込み用凹入空間の開口周縁の内、折れ戸単体の前記内側辺の傾斜面と前記表面とに隣接するコ字形周縁部には、折れ戸単体の前記内側辺の傾斜面と前記表面とに被さる張出し部が形成されている、請求項１に記載の折れ戸用把手。
【請求項３】
折れ戸単体の前記内側辺に切欠き形成される把手埋設用の切欠き凹部は、折れ戸単体の背面側にも開放されたもので、把手は、前記切欠き凹部内に、折れ戸単体の背面と略面一に嵌合固定されている、請求項１又は２に記載の折れ戸用把手。
【請求項４】
前記指先差込み用凹入空間を形成する把手周壁部の内、折れ戸単体の前記内側辺から当該折れ戸単体内に最も深く入り込んだ奥板部に、折れ戸単体に形成された把手埋設用の切欠き凹部に対する固定手段が設けられている、請求項１〜３の何れか１項に記載の折れ戸用把手。
【請求項５】
前記２枚の折れ戸単体の内側辺それぞれに前記把手が、２枚の折れ戸単体が前記展開状態にあるとき、各把手の指先差込み用凹入空間の開口端が互いに隣接して、折れ戸単体の表面側から見て１つの巾広開口部となるように、同一高さに設けられている、請求項１〜４の何れか１項に記載の折れ戸用把手。
【請求項６】
ヒンジにより折り畳み展開自在に連結された２枚の折れ戸単体を備え、当該２枚の折れ戸単体が１つの垂直平面に沿う展開状態にあるときに、当該２枚の折れ戸単体の互いに隣接する内側辺間に、外側に開いた横断面Ｖ字形の凹溝部が形成されるように、当該２枚の折れ戸単体の前記内側辺に傾斜面が形成されている折れ戸において、少なくとも片側の折れ戸単体には、前記内側辺の傾斜面から当該折れ戸単体の表面にわたって連続する屈曲開口を備えた把手埋設用の切欠き凹部が設けられ、把手は、この切欠き凹部内に嵌合固定され、当該把手には、前記内側辺の傾斜面と連続する傾斜側板部と、この傾斜側板部から前記折れ戸単体の表面側へ延出する表面板部とが設けられ、この表面板部に隣接するように把手に形成された開口部から、前記表面板部と傾斜側板部の内側に入り込む、指先差込み用の凹入空間が形成されている、折れ戸用把手。
【請求項７】
前記表面板部の、前記内側辺の長さ方向と平行な側縁が、内側に突曲面状に膨出する肉厚側縁部となっている、請求項６に記載の折れ戸用把手。
【請求項８】
把手に形成された前記開口部の、前記表面板部の側縁と平行な開口縁と前記指先差込み用の凹入空間の底面とをつなぐ内側面が、前記凹入空間の底面に近づくほど当該凹入空間の奥側に入り込むように湾曲した凹曲面となっている、請求項６又は７に記載の折れ戸用把手。
【発明の詳細な説明】
【技術分野】
【０００１】
本発明は、ヒンジにより折り畳み展開自在に連結された２枚の折れ戸単体から成る折れ戸に使用される把手に関するものである。
【背景技術】
【０００２】
ヒンジにより折り畳み展開自在に連結された２枚の折れ戸単体を備えた折れ戸は、２枚の折れ戸単体を、その背面が互いに対面するように折り畳んだ折り畳み状態から、当該２枚の折れ戸単体が１つの垂直平面に沿う展開状態に切り換えて、開閉対象の収納空間などを閉じるとき、手の指先などが２枚の折れ戸単体の互いに隣接する内側辺間に挟まれることが無いように、前記展開状態にある２枚の折れ戸単体の互いに隣接する内側辺間に、外側に開いた横断面Ｖ字形の凹溝部が形成されるように、当該２枚の折れ戸単体の前記内側辺に傾斜面が形成されている。このような折れ戸を、前記展開状態（閉じ状態）から折り畳み状態（開き状態）に切り換える操作は、片側の折れ戸の前記内側辺に近い箇所を手前に引き出すように操作して、２枚の折れ戸単体を折り畳むことになる。このような操作を行うために、この種の折れ戸では、少なくとも片側の折れ戸単体の内側辺の近くの表面に把手が取り付けられるが、この把手が折れ戸単体の表面にネジ止めするタイプのものでは、傍を通行する人の身体や衣服が把手に引っ掛かって邪魔になるので、特許文献を示すことは出来ないが、折れ戸表面に形成した凹部内に嵌め込んで固定するタイプの把手も知られていた。
【発明の概要】
【発明が解決しようとする課題】
【０００３】
上記のような従来の折れ戸用把手を使用するためには、折れ戸表面に、周囲が折れ戸単体の素材によって囲まれた把手埋め込み用の凹部を形成しなければならない。従って、把手の埋設位置が、折れ戸単体の前記内側辺から離れることになり、この把手を利用して片側の折れ戸単体を手前に引き出す操作を行うときに必要な操作力が大きくなる。
【課題を解決するための手段】
【０００４】
本発明は、上記のような従来の問題点を解消することのできる折れ戸用把手を提案するものであって、第一発明に係る折れ戸用把手は、後述する実施例との関係を理解し易くするために、当該実施例の説明において使用した参照符号を括弧付きで付して示すと、ヒンジ(3)により折り畳み展開自在に連結された２枚の折れ戸単体(4A,4B)を備え、当該２枚の折れ戸単体(4A,4B)が１つの垂直平面に沿う展開状態にあるときに、当該２枚の折れ戸単体(4A,4B)の互いに隣接する内側辺間に、外側に開いた横断面Ｖ字形の凹溝部(10)が形成されるように、当該２枚の折れ戸単体(4A,4B)の前記内側辺に傾斜面(9d)が形成されている折れ戸(2)において、少なくとも片側の折れ戸単体(4A)には、前記内側辺の傾斜面(9d)から当該折れ戸単体(4A)の表面(9c)にわたって連続する開口を備えた把手埋設用の切欠き凹部(12)が設けられ、把手(11)は、この切欠き凹部(12)内に嵌合固定され、当該把手(11)には、指先差込み用凹入空間(18)が設けられ、この指先差込み用凹入空間(18)は、前記折れ戸単体(4A)の傾斜面(9d)から当該折れ戸単体(4A)の表面(9c)にまたがる開口から当該折れ戸単体(4A)の内部に向かって入り込む構成になっている。
【０００５】
又、第二発明に係る折れ戸用把手は、ヒンジ(3)により折り畳み展開自在に連結された２枚の折れ戸単体(4A,4B)を備え、当該２枚の折れ戸単体(4A,4B)が１つの垂直平面に沿う展開状態にあるときに、当該２枚の折れ戸単体(4A,4B)の互いに隣接する内側辺間に、外側に開いた横断面Ｖ字形の凹溝部(10)が形成されるように、当該２枚の折れ戸単体(4A,4B)の前記内側辺に傾斜面(9d)が形成されている折れ戸(2)において、少なくとも片側の折れ戸単体(4A)には、前記内側辺の傾斜面(9d)から当該折れ戸単体(4A)の表面にわたって連続する開口を備えた把手埋設用の切欠き凹部(26)が設けられ、把手(25)は、この切欠き凹部(26)内に嵌合固定され、当該把手(25)には、前記内側辺の傾斜面(9d)と連続する傾斜側板部(28a)と、この傾斜側板部(28a)から前記折れ戸単体(4A)の表面(9c)側へ延出する表面板部(28e)とが設けられ、この表面板部(28e)に隣接するように把手(25)に形成された開口部(29)から、前記表面板部(28e)と傾斜側板部(28a)の内側に入り込む、指先差込み用の凹入空間(30)が形成される構成になっている。
【発明の効果】
【０００６】
上記本発明の構成によれば、周囲が折れ戸単体の素材によって囲まれた把手埋め込み用の凹部を折れ戸表面に形成すると共に、この把手埋め込み用の凹部に把手の全体を嵌め込んで固定する従来の構成と比較して、把手は、折れ戸単体の内側辺の傾斜面の一部を形成する状態で埋設されるので、その埋設位置は、折れ戸単体の内側辺に接した位置になり、この把手を利用して片側の折れ戸単体を手前に引き出す操作を行うときに必要な操作力が小さくて済むことになる。又、周囲が折れ戸単体の素材によって囲まれた把手埋め込み用の凹部を折れ戸表面に形成しなければならない場合と比較して、折れ戸単体の内側辺に開放された切欠き凹部を形成すれば良いので、折れ戸単体に対する加工も容易になる。
【０００７】
上記第一発明を実施する場合、前記指先差込み用凹入空間(18)の開口周縁の内、折れ戸単体(4A)の前記内側辺の傾斜面(9d)と前記表面(9c)とに隣接するコ字形周縁部には、折れ戸単体(4A)の前記内側辺の傾斜面(9d)と前記表面(9c)とに被さる張出し部(15f)を形成して、折れ戸単体側の把手埋設用の切欠き凹部と把手との間の隙間が折れ戸単体の表面側から見えるのを防ぐのが望ましい。又、折れ戸単体(4A)の前記内側辺に切欠き形成される把手埋設用の切欠き凹部(12)は、折れ戸単体(4A)の背面(9a)側にも開放されたものとし、把手は、前記切欠き凹部(12)内に、折れ戸単体(4A)の背面(9a)と略面一に嵌合固定することが出来る。この構成によれば、比較的厚さの薄い折れ戸単体であっても、その厚さを最大限利用して、必要な深さの指先差込み用の凹入空間を形成することが出来る。又、折れ戸単体に対する把手埋設用の切欠き凹部の加工も一層容易に行える。
【０００８】
又、前記指先差込み用凹入空間(18)を形成する把手周壁部の内、折れ戸単体(4A)の前記内側辺から当該折れ戸単体(4A)内に最も深く入り込んだ板部（上下方向側板部(15a)）に、折れ戸単体(4A)に形成された把手埋設用の切欠き凹部(12)に対する固定手段を設けるのが望ましい。この構成によれば、前記固定手段としてネジを利用する場合でも、当該ネジに対する捻じ込み操作を、折れ戸単体の内側辺の傾斜面のある側から容易に行えるにも拘らず、折れ戸単体の表面側からは、そのネジの頭部などは見えない。又、把手を利用して折れ戸単体を折り畳み方向に引き出すときの操作力は、把手の表面側に被さっている折れ戸単体の表面部材によって受け止められ、固定手段には直接作用しないので、小さなネジを固定手段として利用しても、固定状態を確実に維持し得る。
【０００９】
前記２枚の折れ戸単体(4A,4B)の内側辺それぞれに前記把手(11)を、２枚の折れ戸単体(4A,4B)が前記展開状態にあるとき、各把手(11)の指先差込み用凹入空間(18)の開口端が互いに隣接して、折れ戸単体(4A,4B)の表面側から見て１つの巾広開口部となるように、同一高さに設けるのが望ましい。この構成によれば、折れ戸を展開状態から折り畳み状態に切り換えるときは、外側辺が定位置で開閉自在に軸支されている一方の折れ戸単体の把手を利用し、逆に折り畳み状態の折れ戸単体を展開状態に切り換えるときは、ガイドレールに摺動自在に支持されたスライダーに外側辺が開閉自在に軸支されている他方の折れ戸単体の把手を利用することにより、把手に加える操作力を効果的に働かせて、折れ戸の開閉を容易に行える。又、各折れ戸単体に埋設する把手の巾を狭めて小型化しても、折れ戸を展開状態から折り畳み状態に切り換えるとき、両折れ戸単体に取り付けられている把手の開口部が互いに隣接して一体化し、巾広の開口部を形成しているので、指先を何れか片側の把手の指先差込み用凹入空間内へ差し入れる操作が容易に行える。
【００１０】
上記第二発明を実施する場合、前記表面板部(28e)の、前記内側辺の長さ方向と平行な側縁を、内側に突曲面状に膨出する肉厚側縁部(29a)とすることにより、指先の当りが軟らかくなるだけでなく、指先を当該肉厚側縁部に引っ掛けて、折れ戸単体を確実且つ容易に手前に引き出すことが出来る。更に、把手(25)に形成された前記開口部(29)の、前記表面板部(28e)の側縁と平行な開口縁（奥端板部(28b)の遊側縁）と前記指先差込み用の凹入空間(30)の底面とをつなぐ内側面（湾曲板部(33)）を、前記凹入空間(30)の底面に近づくほど当該凹入空間(30)の奥側に入り込むように湾曲した凹曲面とすることにより、把手内の指先差込み用の凹入空間への指先の挿入が無理なく円滑に行える。
【図面の簡単な説明】
【００１１】
【図１】図１Ａは、第一実施例に係る把手が取り付けられた折れ戸を示す概略平面図、図１Ｂは、同正面図、図１Ｃは、同折れ戸の一部切欠き拡大平面図である。
【図２】図２は、同折れ戸の把手取付け部分の拡大図である。
【図３】図３Ａは、同折れ戸の把手取付け部分の横断平面図、図３Ｂは、同折れ戸の把手取付け部分の一部切欠き縦断正面図である。
【図４】図４は、片側の折れ戸内側辺の把手取付け部分の側面図である。
【図５】図５Ａは、第一実施例に係る把手の平面図、図５Ｂは、同把手の正面図、図５Ｃは、同把手の左側面図、図５Ｄは、同把手の右側面図である。
【図６】図６Ａは、同把手の背面図、図６Ｂは、同把手の背面板取付け位置での横断平面図、図６Ｃは、同把手の取付け用ダボ位置での横断平面図、図６Ｄは、同把手が取り付けられる折れ戸の切欠き凹部を示す斜視図である。
【図７】図７は、第二実施例に係る把手を取り付けた片側の折れ戸の把手取付け部分の縦断正面図である。
【図８】図８Ａは、第二実施例に係る把手の他の取付け方法を説明する分解横断平面図、図８Ｂは、その把手取付け後を示す横断平面図である。
【図９】図９は、第三実施例に係る把手が取り付けられた折れ戸の要部を示す正面図である。
【図１０】図１０Ａは、同折れ戸の把手取付け部分の横断平面図、図１０Ｂは、同折れ戸の把手取付け部分の縦断正面図である。
【図１１】図１１Ａは、第三実施例に係る把手の平面図、図１１Ｂは、同把手の正面図、図１１Ｃは、同把手の背面図、図１１Ｄは、同把手の縦断左側面図である。
【図１２】図１２Ａは、同把手の拡大横断平面図、図１２Ｂは、同把手が取り付けられる折れ戸の切欠き凹部を示す斜視図である。
【発明を実施するための形態】
【００１２】
以下、本発明の第一実施例を図１Ａ〜図６に基づいて説明すると、図１Ａ及び図１Ｂにおいて、収納空間１の左右両側の壁板１ａ，１ｂ間の開口部を開閉する折れ戸２は、互いに隣接する内側辺どうしがヒンジ３によって折り畳み展開自在に連結された２枚の折れ戸単体４Ａ，４Ｂから構成されている。片側の折れ戸単体４Ａは、その外側辺がヒンジ５により、片側の壁板１ａに軸支され、他方の折れ戸単体４Ｂは、その外側辺がスライダー６にヒンジ７を介して軸支されている。スライダー６は、左右両側の壁板１ａ，１ｂ間に水平に配設されたガイドレール８に摺動自在に支持されたもので、前記ガイドレール８は、収納空間１の天井板の下側、床板の上側、又は棚板の下側などの内の少なくとも一箇所に付設されるものである。
【００１３】
２枚の折れ戸単体４Ａ，４Ｂは、図１Ｃにも示すように、互いに隣接する内側辺と反対側の外側辺が、背面９ａに接続する小巾直角面９ｂと、この小巾直角面９ｂと表面９ｃとを、両者間の挟角が鈍角となるように接続する傾斜面９ｄとから形成されて、図１Ａ及び図１Ｂに示すように、２枚の折れ戸単体４Ａ，４Ｂが平面視において一直線状となる展開状態にあるとき、両折れ戸単体４Ａ，４Ｂの互いに隣接する内側辺間や両壁板１ａ，１ｂとの間に、外側に開いた横断面Ｖ字形の凹溝部１０が形成されるように構成している。これら凹溝部１０は、この折れ戸２を開閉操作する人の指先が、両折れ戸単体４Ａ，４Ｂの互いに隣接する内側辺間や両壁板１ａ，１ｂとの間に挟まれるのを防止するのに役立っている。
【００１４】
本発明の第一実施例に係る把手１１は上下対称形のもので、図２〜図４に示すように、同一の２つの把手１１を、折れ戸単体４Ａ，４Ｂの互いに隣接する内側辺に、左右対称形に埋設するために、折れ戸単体４Ａ，４Ｂの内側辺の把手取付け位置には、図６Ｄに示す把手埋設用の切欠き凹部１２が設けられている。この切欠き凹部１２は、折れ戸単体４Ａ，４Ｂの背面９ａ側と内側辺（小巾直角面９ｂ及び傾斜面９ｄ）側が開放されたもので、折れ戸単体４Ａ，４Ｂの表面９ｃ側には、この切欠き凹部１２の深さ方向（折れ戸単体４Ａ，４Ｂの左右巾方向）の半分程度をカバーする張出し表面板部１３が残されている。又、この切欠き凹部１２の奥端面には、その両端近傍位置から２本のダボ孔１４が刻設されている。
【００１５】
把手１１は、細長い本体１５と、背面板１６、及び２つの取付け用ダボ１７によって構成され、本体１５は、２つの取付け用ダボ１７が両端部外側に一体成形により突設された上下方向側板部１５ａ、この上下方向側板部１５ａから直角に連設された、背面板１６と平行で且つ背面板１６の半分程度の巾の表面板部１５ｂ、この表面板部１５ｂの外側縁から直角前方に連設された立上り板部１５ｃ、及び上下方向両端を塞ぐ上下両端板部１５ｄから構成され、この本体１５の各板部１５ａ〜１５ｄと背面板１６とで囲まれた指先差込み用の凹入空間１８が形成されている。背面板１６は、そのコ字形に連続する周縁が本体１５の上下方向側板部１５ａと上下両端板部１５ｄとに当接する状態で、本体１５の上下方向側板部１５ａと上下両端板部１５ｄとの間の入隅部に形成された肉厚部１５ｅにネジ１９により固定されている。
【００１６】
上記の把手１１を折れ戸単体４Ａ，４Ｂ側の切欠き凹部１２内に嵌入させるとき、切欠き凹部１２側の前記ダボ孔１４に、把手１１側の取付け用ダボ１７（必要に応じて接着剤を塗布しておく）を圧入させることにより、把手１１が折れ戸単体４Ａ，４Ｂの内側辺に沿って取り付けられる。このようにして折れ戸単体４Ａ，４Ｂに取り付けられた把手１１は、背面板１６が折れ戸単体４Ａ，４Ｂの背面９ａと略面一に位置し、本体１５の外側面は、切欠き凹部１２の内側面に隣接している。本体１５の立上り板部１５ｃは、折れ戸単体４Ａ，４Ｂ側の張出し板部１３の端面に隣接している。そして、本体１５の上下両端板部１５ｄの遊側縁は、折れ戸単体４Ａ，４Ｂ側の切欠き凹部１２の上下両端面における小巾直角面９ｂの側縁と傾斜面９ｄの側縁、及びこの傾斜面９ｄから表面９ｃに至る円弧状の側縁と一致するように形成されている。従って、この把手１１の内部に形成されている指先差込み用の凹入空間１８の開口部１８ａは、本体１５の上下両端板部１５ｄの遊側縁と背面板１６の遊側縁、及び本体１５の立上り板部１５ｃによって囲まれている。更に、本体１５の上下両端板部１５ｄの遊側縁の内、折れ戸単体４Ａ，４Ｂ側の傾斜面９ｄの側縁に隣接する傾斜側縁と、本体１５の立上り板部１５ｃの側縁とを結ぶコ字形周縁部には、折れ戸単体４Ａ，４Ｂ側の傾斜面９ｄと表面９ｃとに被さる、コ字形に連続する張出し部１５ｆが一体に連設されている。
【００１７】
上記のように把手１１が取り付けられた折れ戸２の両折れ戸単体４Ａ，４Ｂは、折れ戸単体４Ａ，４Ｂの表面９ｃや内側辺の傾斜面９ｄから、把手周囲の正面視コ字形の張出し部１５ｆが、その板厚分だけ突出しているだけであり、互いに隣接する両把手１１の上下方向に細長い開口部１８ａが互いに隣接して、１つの巾広の開口部を形成することになる。そしてこれら指先差込み用の凹入空間１８の開口部１８ａの巾は、折れ戸単体４Ａ，４Ｂの内側辺の傾斜面９ｄを正面側から見たときの巾よりも広くなっており、その周囲が、把手１１の張出し部１５ｆによってカバーされている。従って、この展開状態（閉じ状態）の折れ戸２を折り畳み状態に切り換えて、収納空間１を開くときは、両折れ戸単体４Ａ，４Ｂの互いに隣接する把手１１の開口部１８ａから、好ましくは、ヒンジ３によって固定位置に軸支されている側の折れ戸単体４Ａの把手１１の指先差込み用の凹入空間１８内に指先を差し込み、その指先を本体１５の表面板部１５ｂに内側から引っ掛けて、折れ戸単体４Ａを手前に引き出して、ヒンジ５の周りに開動させれば良い。。
【００１８】
収納空間１を閉じるときは、スライダー６に軸支されている側の折れ戸単体４Ｂの把手１１を利用して、当該折れ戸単体４Ｂを展開方向に引くように操作すれば良い。勿論、折り畳み状態の折れ戸２の折れ戸単体４Ａ，４Ｂを展開状態に切り換える場合は、把手１１を利用しないで、折り畳まれて手前にＶ字状に突出している折れ戸単体４Ａ，４Ｂの突出端を展開方向に引くように操作しても良い。換言すれば、スライダー６に軸支されている側の折れ戸単体４Ｂの把手１１は、無くすことも可能である。この場合、片側の折れ戸単体４Ａのみに取り付けられる把手１１の指先差込み用の凹入空間１８への指先の挿入を容易にするため、本体１５の巾を大きくして、本体１５の表面板部１５ｂの巾を確保しながら立上り板部１５ｃの位置を、折れ戸単体４Ａの内側辺（小巾直角面９ｂ）から離して、指先差込み用の凹入空間１８の開口部１８ａの巾を広げておくのが望ましい。
【００１９】
尚、本体１５にネジ止めされる背面板１６は、把手１１の成形方法によっては、本体１５に一体に成形することにより、無くすことも可能である。又、折れ戸単体４Ａ，４Ｂ側の把手埋設用の切欠き凹部１２内に嵌合させた把手１１を、折れ戸単体４Ａ，４Ｂに固定する固定手段として、把手１１と一体の取付け用ダボ１７と、折れ戸単体４Ａ，４Ｂ側のダボ孔１４とで構成したが、この構成に限定されない。例えば、図７に示すように、本体１５の上下方向側板部１５ａを、折れ戸単体４Ａ，４Ｂ側の把手埋設用の切欠き凹部１２の内側面に、ネジ２０により固定することも出来る。このようにネジを使用する場合、図８Ａ及び図８Ｂに示すように、折れ戸単体４Ａ，４Ｂ側の把手埋設用の切欠き凹部１２の内側面に刻設したダボ孔２１に、ネジ孔２２ａが設けられたダボ２２を予め圧入固定しておき、このダボ２２のネジ孔２２ａにねじ込み可能なネジ２３を利用して、切欠き凹部１２内に嵌合した本体１５（上下方向側板部１５ａ）を折れ戸単体４Ａ，４Ｂに固定するように構成することも可能である。
【００２０】
次に本発明の第二実施例を、図９〜図１２Ｂに基づいて説明すると、把手２５が取り付けられる片側の折れ戸単体４Ａには、図１２Ｂに示すように、他方の折れ戸単体４Ｂと隣接する内側辺から切欠き凹部２６が設けられ、この切欠き凹部２６内に把手２５が嵌合固定される。この図示例では、切欠き凹部２６の深さは、その底面２６ａが折れ戸単体４Ａの内側辺の小巾直角面９ｂと傾斜面９ｄとの境界と一致する深さであり、この切欠き凹部２６の底面２６ａの上下両端角部の内側に、この折れ戸単体４Ａの背面９ａに貫通する取付け用貫通孔２７が穿設されている。把手２５は、切欠き凹部２６内に丁度嵌合する大きさと形状の輪郭を有するものであって、切欠き凹部２６の上下両側の折れ戸単体４Ａの内側辺の傾斜面９ｄどうしをつなぐ傾斜側板部２８ａ、切欠き凹部２６の上下両側面に隣接する上下両側板部２８ｂ、切欠き凹部２６の奥端面に隣接する奥端板部２８ｃ、及び底板部２８ｄから成る、縦長の細長い容器状のものである。
【００２１】
前記傾斜側板部２８ａは、その外側辺から折れ戸単体４Ａの表面９ｃと平行に奥端板部２８ｃの方向に延出して、短い表面板部２８ｅが一体に形成されている。この把手２５を切欠き凹部２６内に嵌合させたとき、当該切欠き凹部２６の周囲の、折れ戸単体４Ａの表面９ｃと内側辺の傾斜面９ｄに被さるように、傾斜側板部２８ａの上下両側辺、短い表面板部２８ｅの上下両側辺、上下両側板部２８ｂの外側辺、及び奥端板部２８ｃの外側辺から、正面視でコ字形に連続した張出し部２８ｆが一体に形成されている。而して、短い表面板部２８ｅの遊側辺、上下両側板部２８ｂの遊側辺、及び奥端板部２８ｃの遊側辺で囲まれた、正面視で矩形状の開口部２９が形成されており、この開口部２９から、上下両側板部２８ｂ間の底板部２８ｄ上を、短い表面板部２８ｅと傾斜側板部２８ａの内側に入り込む指先差込み用の凹入空間３０が形成されている。尚、短い表面板部２８ｅの、前記開口部２９の一側縁となる上下方向内側縁は、内側に突曲面状に膨出する肉厚側縁部２９ａとなっている。
【００２２】
把手２５の指先差込み用の凹入空間３０の底面を構成する底板部２８ｄは、別部材から成る底板３２と湾曲板部３３とで構成されている。この湾曲板部３３は、一端が奥端板部２８ｃの外側辺につながり、この奥端板部２８ｃの外側辺から離れるに従って傾斜側板部２８ａのある側へ近づくように湾曲し、上下両側辺は、上下両側板部２８ｂの内側面と一体につながっている。換言すれば、前記開口部２９の、短い表面板部２８ｅの側縁と平行な開口縁（奥端板部２８ｃの遊側辺）と前記指先差込み用の凹入空間３０の底面とをつなぐ内側面（湾曲板部３３の表面）が、前記凹入空間３０の底面に近づくほど当該凹入空間３０の奥側（傾斜側板部２８ａのある側）に入り込むように湾曲した凹曲面となっている。底板３２は、短い表面板部２８ｅと傾斜側板部２８ａの内側に入り込む指先差込み用の凹入空間３０を成形するときに必要な内型（短い表面板部２８ｅと傾斜側板部２８ａの内面を成形する内型）を成形後に抜くために、底板部２８ｄに設けられる開口を閉じるものであって、湾曲板部３３の側辺に対しては凹凸嵌合構造となっており、傾斜側板部２８ａに対しては、当該傾斜側板部２８ａの底面側の側辺に形成された段部に嵌合させることにより、底板３２の位置が決まるようになっている。従って、底板３２を把手２５の底面に位置決めした状態で、この把手２５を折れ戸単体４Ａの切欠き凹部２６内に嵌合して固定すれば、底板３２が外れる恐れはないが、底板３２を把手２５の底面に前以て固定するときは、少なくとも、傾斜側板部２８ａの底面側の段部とこれに嵌合させた底板３２の側辺とを接着剤で固定しておけば良い。
【００２３】
把手２５の上下両側板部２８ｂと奥端板部２８ｃとの間の入隅部は肉厚部３４に形成されており、把手２５を折れ戸単体４Ａの切欠き凹部２６内に嵌合させたとき、この切欠き凹部２６の底面２６ａに設けられている前記取付け用貫通孔２７と連通するように、前記肉厚部３４に底面側から取付け用孔３５(ネジ孔としても良い)が設けられている。従って、把手２５を折れ戸単体４Ａの切欠き凹部２６内に嵌合させた状態で、折れ戸単体４Ａの背面９ａ側から、取付け用貫通孔２７に差し込んだネジ３６を、把手２５側の取付け用孔３５にねじ込んで、把手２５を折れ戸単体４Ａの切欠き凹部２６内に固定することが出来る。
【００２４】
以上のようにして折れ戸単体４Ａの、他方の折れ戸単体４Ｂに隣接する内側辺に取り付けることにより、図９〜図１０Ｂに示すように、両折れ戸単体４Ａ，４Ｂが展開状態になって、図１に示す収納空間１が閉じられているとき、把手２５は、折れ戸単体４Ａの表面９ｃや内側辺の傾斜面９ｄから、傾斜側板部２８ａと短い表面板部２８ｅ、及び周囲の張出し部２８ｆが、その板厚分だけ突出しているだけであり、矩形の開口部２９が折れ戸単体４Ａの傾斜面９ｄに沿って開口する状態にある。従って、折れ戸２を開くときは、把手２５の開口部２９から指先を、傾斜側板部２８ａと短い表面板部２８ｅの内側に延びている指先差込み用の凹入空間３０内に差し入れ、指先を短い表面板部２８ｅの内側に引っ掛けて手前に引き出すように操作すれば、折れ戸単体４Ａをヒンジ５の周りに手前に開動させ、これに伴わせて他方の折れ戸単体４Ｂを、スライダー６の滑動を伴って、折れ戸単体４Ａの内側に重なるように開動させ、折れ戸単体４Ａ，４Ｂを互いに重なる折り畳み状態に切り換えて、収納空間１を開くことが出来る。開いた収納空間１を閉じるときは、把手２５の開口部２９から指先差込み用の凹入空間３０内に上記と同じように指先を差し入れた状態で、当該折れ戸単体４Ａをヒンジ５の周りに閉動させれば良い。
【産業上の利用可能性】
【００２５】
本発明の折れ戸用把手は、建物に作り付けの収納空間や、家具の収納空間を開閉する折れ戸の開閉操作用として活用出来る。
【符号の説明】
【００２６】
１    収納空間
２    折れ戸
３，５，７    ヒンジ
４Ａ，４Ｂ    折れ戸単体
６    スライダー
８    ガイドレール
９ｂ    折れ戸の小巾直角面
９ｄ    折れ戸の傾斜面
１０    折れ戸内側辺間の凹溝部
１１，２５    把手
１２，２６    把手埋設用の切欠き凹部
１３    折れ戸の張出し表面板部
１４，２１    ダボ孔
１５    本体
１５ａ    上下方向側板部
１５ｂ    表面板部
１５ｃ    立上り板部
１５ｄ    上下両端板部
１５ｅ    肉厚部
１５ｆ    張出し部
１６    背面板
１７，２２    ダボ
１８，３０    指先差込み用の凹入空間
１８ａ，２９    開口部
１９，２０，２３，３６    ネジ
２２ａ    ネジ孔
２７    取付け用貫通孔
２８ａ    傾斜側板部
２８ｂ    上下両側板部
２８ｃ    奥端板部
２８ｄ    底板部
２８ｅ    短い表面板部
２８ｆ    張出し部
２９ａ    肉厚側縁部
３２    底板
３３    湾曲板部
３４    肉厚部
３５    取付け用孔
【図１】
2017190558.tif 000003
【図２】
2017190558.tif 000004
【図３】
2017190558.tif 000005
【図４】
2017190558.tif 000006
【図５】
2017190558.tif 000007
【図６】
2017190558.tif 000008
【図７】
2017190558.tif 000009
【図８】
2017190558.tif 000010
【図９】
2017190558.tif 000011
【図１０】
2017190558.tif 000012
【図１１】
2017190558.tif 000013
【図１２】
2017190558.tif 000014